(57)【要約】【課題】移動機の利用者を特定可能な情報を用いることなく、利用者情報の管理が可能な利用者情報管理システムを提供する。【解決手段】移動機１００の利用者を特定可能な情報を除いた利用者別属性情報に基づいて、属性テーブル算出部６１１が属性テーブルを算出する。属性別位置管理テーブル作成部６０３は、属性テーブルを用いて特定される利用者の属性に基づいて、移動機１００の位置情報を属性毎に分類し、属性別位置管理テーブルを作成する。このようにして算出された属性別位置管理テーブルには、移動機１００の利用者を特定可能な情報が含まれておらず、利用者を特定可能な情報を用いることなく移動機１００の位置情報（利用者情報）が属性毎に分類されて管理される。また、属性別位置管理テーブルに基づいて移動機１００の所定の利用者情報を抽出することにより、利用者を特定することなく、各種の統計情報が抽出される。【選択図】図２
2011054112.tif 000002
【特許請求の範囲】
【請求項１】
移動機の無線接続制御を行う無線ネットワーク制御装置と、前記無線ネットワーク制御装置との情報の送受信が可能とされた情報管理装置とを含んで構成される利用者情報管理システムであって、
前記無線ネットワーク制御装置は、前記移動機の位置情報を特定するとともに当該移動機を特定可能な移動機情報を取得し、前記位置情報および前記移動機情報を前記情報管理装置へ送信する情報通信部、を備え、
前記情報管理装置は、
前記移動機の利用者を特定可能な情報を含む利用者別属性情報を記憶する利用者別属性情報記憶部と、
前記利用者別属性情報記憶部に記憶された前記利用者別属性情報を所定の属性毎に分類し、前記移動機の利用者を特定可能な情報を除く前記利用者別属性情報に基づいて属性テーブルを算出する属性テーブル算出部と、
前記情報通信部から送信された前記位置情報および前記移動機情報を受信する情報受信部と、
前記利用者別属性情報記憶部に記憶された前記利用者別属性情報と、前記属性テーブル算出部によって算出された前記属性テーブルとに基づいて、前記情報受信部によって受信された前記移動機情報によって特定される前記移動機の前記利用者が前記属性テーブルのどの属性に属するかを特定する属性特定部と、
前記属性特定部によって特定された属性に基づいて、前記情報受信部によって受信された前記位置情報を特定された前記属性毎に分類し、前記位置情報に基づいて属性別位置管理テーブルを作成する属性別位置管理テーブル作成部と、
前記属性別位置管理テーブル作成部によって作成された前記属性別位置管理テーブルに基づいて、前記移動機の所定の利用者情報を抽出する利用者情報抽出部と、
前記利用者情報抽出部による抽出結果を出力する出力部と、
を備える利用者情報管理システム。
【請求項２】
移動機と、前記移動機との通信が可能とされた情報管理装置とを含んで構成される利用者情報管理システムであって、
前記移動機は、当該移動機の位置情報を取得し、取得した前記位置情報と当該移動機を特定可能な移動機情報とを前記情報管理装置へ送信する情報通信部、を備え、
前記情報管理装置は、
前記移動機の利用者を特定可能な情報を含む利用者別属性情報を記憶する利用者別属性情報記憶部と、
前記利用者別属性情報記憶部に記憶された前記利用者別属性情報を所定の属性毎に分類し、前記移動機の利用者を特定可能な情報を除く前記利用者別属性情報に基づいて属性テーブルを算出する属性テーブル算出部と、
前記情報通信部から送信された前記位置情報および前記移動機情報を受信する情報受信部と、
前記利用者別属性情報記憶部に記憶された前記利用者別属性情報と、前記属性テーブル算出部によって算出された前記属性テーブルとに基づいて、前記情報受信部によって受信された前記移動機情報によって特定される前記移動機の前記利用者が前記属性テーブルのどの属性に属するかを特定する属性特定部と、
前記属性特定部によって特定された属性に基づいて、前記情報受信部によって受信された前記位置情報を特定された前記属性毎に分類し、前記位置情報に基づいて属性別位置管理テーブルを作成する属性別位置管理テーブル作成部と、
前記属性別位置管理テーブル作成部によって作成された前記属性別位置管理テーブルに基づいて、前記移動機の所定の利用者情報を抽出する利用者情報抽出部と、
前記利用者情報抽出部による抽出結果を出力する出力部と、
を備える利用者情報管理システム。
【請求項３】
前記利用者情報抽出部は、前記属性別位置管理テーブルの前記位置情報に基づいて、前記移動機の利用者の属性別の人口分布を抽出する請求項１または２に記載の利用者情報管理システム。
【請求項４】
前記利用者情報抽出部は、前記属性別位置管理テーブルの前記位置情報に基づいて、前記移動機の利用者の属性別の人口流量を抽出する請求項１または２に記載の利用者情報管理システム。
【請求項５】
移動機の無線接続制御を行う無線ネットワーク制御装置と、前記無線ネットワーク制御装置との情報の送受信が可能とされた情報管理装置とを含んで構成される利用者情報管理システム、にて実行される利用者情報管理方法であって、
前記無線ネットワーク制御装置が、前記移動機の位置情報を特定するとともに当該移動機を特定可能な移動機情報を取得し、前記位置情報および前記移動機情報を前記情報管理装置へ送信する情報通信ステップと、
前記情報管理装置が、前記移動機の利用者を特定可能な情報を含む利用者別属性情報を利用者別属性情報記憶部に記憶させる記憶ステップと、
前記情報管理装置が、前記利用者別属性情報記憶部に記憶された前記利用者別属性情報を所定の属性毎に分類し、前記移動機の利用者を特定可能な情報を除く前記利用者別属性情報に基づいて属性テーブルを算出する属性テーブル算出ステップと、
前記情報管理装置が、前記情報通信ステップにおいて送信された前記位置情報および前記移動機情報を受信する情報受信ステップと、
前記情報管理装置が、前記利用者別属性情報記憶部に記憶された前記利用者別属性情報と、前記属性テーブル算出ステップによって算出された前記属性テーブルとに基づいて、前記情報受信ステップにおいて受信された前記移動機情報によって特定される前記移動機の前記利用者が前記属性テーブルのどの属性に属するかを特定する属性特定ステップと、
前記情報管理装置が、前記属性特定ステップによって特定された属性に基づいて、前記情報受信ステップにおいて受信された前記位置情報を特定された前記属性毎に分類し、前記位置情報に基づいて属性別位置管理テーブルを作成する属性別位置管理テーブル作成ステップと、
前記情報管理装置が、前記属性別位置管理テーブル作成ステップによって作成された前記属性別位置管理テーブルに基づいて、前記移動機の所定の利用者情報を抽出する利用者情報抽出ステップと、
前記情報管理装置が、前記利用者情報抽出ステップによる抽出結果を出力する出力ステップと、
を備える利用者情報管理方法。
【請求項６】
移動機と、前記移動機との通信が可能とされた情報管理装置とを含んで構成される利用者情報管理システム、にて実行される利用者情報管理方法であって、
前記移動機が、当該移動機の位置情報を取得し、取得した前記位置情報と当該移動機を特定可能な移動機情報とを前記情報管理装置へ送信する情報通信ステップと、
前記情報管理装置が、前記移動機の利用者を特定可能な情報を含む利用者別属性情報を利用者別属性情報記憶部に記憶させる記憶ステップと、
前記情報管理装置が、前記利用者別属性情報記憶部に記憶された前記利用者別属性情報を所定の属性毎に分類し、前記移動機の利用者を特定可能な情報を除く前記利用者別属性情報に基づいて属性テーブルを算出する属性テーブル算出ステップと、
前記情報管理装置が、前記情報通信ステップにおいて送信された前記位置情報および前記移動機情報を受信する情報受信ステップと、
前記情報管理装置が、前記利用者別属性情報記憶部に記憶された前記利用者別属性情報と、前記属性テーブル算出ステップによって算出された前記属性テーブルとに基づいて、前記情報受信ステップにおいて受信された前記移動機情報によって特定される前記移動機の前記利用者が前記属性テーブルのどの属性に属するかを特定する属性特定ステップと、
前記情報管理装置が、前記属性特定ステップによって特定された属性に基づいて、前記情報受信ステップにおいて受信された前記位置情報を特定された前記属性毎に分類し、前記位置情報に基づいて属性別位置管理テーブルを作成する属性別位置管理テーブル作成ステップと、
前記情報管理装置が、前記属性別位置管理テーブル作成ステップによって作成された前記属性別位置管理テーブルに基づいて、前記移動機の所定の利用者情報を抽出する利用者情報抽出ステップと、
前記情報管理装置が、前記利用者情報抽出ステップによる抽出結果を出力する出力ステップと、
を備える利用者情報管理方法。
【発明の詳細な説明】
【技術分野】
【０００１】
本発明は、移動機の利用者の情報を管理する利用者情報管理システムおよび利用者情報管理方法に関する。
【背景技術】
【０００２】
従来、移動機の利用者情報と位置情報に基づいて、利用者の属性別の人口分布や人口流量（人々の流れ）などの統計情報を抽出することが行われている。このような抽出処理においては、移動機の利用者を個別のＩＤによって管理し、このＩＤに属性情報などを関連付けて各種の統計処理に利用している。ここで、移動機の利用者を個別のＩＤによって管理する技術として、例えば特許文献１に記載されたものがある。ここでは、移動機の各利用者毎にそれぞれユーザＩＤが割り当てられ、これらのユーザＩＤに利用者の属性や所定の条件などの情報を関連付けることによって、利用者の管理が行われている。
【先行技術文献】
【特許文献】
【０００３】
【特許文献１】特開２００５−２５０７７９号公報
【発明の概要】
【発明が解決しようとする課題】
【０００４】
ところで、移動機の利用者情報を用いて各種の統計情報の抽出を行う際に、移動機の利用者を特定可能なＩＤを利用することなく利用者情報の管理を行うことが望まれている。しかしながら、特許文献１に記載された技術では、利用者を特定可能なユーザＩＤを利用して利用者情報の管理を行うものであり、ユーザＩＤを利用せずに利用者情報の管理を行う技術については開示がなかった。
【０００５】
そこで本発明は、上記課題に鑑み、利用者を特定可能な情報を用いることなく、利用者情報の管理が可能な利用者情報管理システムおよび利用者情報管理方法を提供することを目的とする。
【課題を解決するための手段】
【０００６】
上記課題を解決するため、本発明の利用者情報管理システムは、移動機の無線接続制御を行う無線ネットワーク制御装置と、前記無線ネットワーク制御装置との情報の送受信が可能とされた情報管理装置とを含んで構成される利用者情報管理システムであって、前記無線ネットワーク制御装置は、前記移動機の位置情報を特定するとともに当該移動機を特定可能な移動機情報を取得し、前記位置情報および前記移動機情報を前記情報管理装置へ送信する情報通信部、を備え、前記情報管理装置は、前記移動機の利用者を特定可能な情報を含む利用者別属性情報を記憶する利用者別属性情報記憶部と、前記利用者別属性情報記憶部に記憶された前記利用者別属性情報を所定の属性毎に分類し、前記移動機の利用者を特定可能な情報を除く前記利用者別属性情報に基づいて属性テーブルを算出する属性テーブル算出部と、前記情報通信部から送信された前記位置情報および前記移動機情報を受信する情報受信部と、前記利用者別属性情報記憶部に記憶された前記利用者別属性情報と、前記属性テーブル算出部によって算出された前記属性テーブルとに基づいて、前記情報受信部によって受信された前記移動機情報によって特定される前記移動機の前記利用者が前記属性テーブルのどの属性に属するかを特定する属性特定部と、前記属性特定部によって特定された属性に基づいて、前記情報受信部によって受信された前記位置情報を特定された前記属性毎に分類し、前記位置情報に基づいて属性別位置管理テーブルを作成する属性別位置管理テーブル作成部と、前記属性別位置管理テーブル作成部によって作成された前記属性別位置管理テーブルに基づいて、前記移動機の所定の利用者情報を抽出する利用者情報抽出部と、前記利用者情報抽出部による抽出結果を出力する出力部と、を備えている。
【０００７】
また、本発明の利用者情報管理方法は、移動機の無線接続制御を行う無線ネットワーク制御装置と、前記無線ネットワーク制御装置との情報の送受信が可能とされた情報管理装置とを含んで構成される利用者情報管理システム、にて実行される利用者情報管理方法であって、前記無線ネットワーク制御装置が、前記移動機の位置情報を特定するとともに当該移動機を特定可能な移動機情報を取得し、前記位置情報および前記移動機情報を前記情報管理装置へ送信する情報通信ステップと、前記情報管理装置が、前記移動機の利用者を特定可能な情報を含む利用者別属性情報を利用者別属性情報記憶部に記憶させる記憶ステップと、前記情報管理装置が、前記利用者別属性情報記憶部に記憶された前記利用者別属性情報を所定の属性毎に分類し、前記移動機の利用者を特定可能な情報を除く前記利用者別属性情報に基づいて属性テーブルを算出する属性テーブル算出ステップと、前記情報管理装置が、前記情報通信ステップにおいて送信された前記位置情報および前記移動機情報を受信する情報受信ステップと、前記情報管理装置が、前記利用者別属性情報記憶部に記憶された前記利用者別属性情報と、前記属性テーブル算出ステップによって算出された前記属性テーブルとに基づいて、前記情報受信ステップにおいて受信された前記移動機情報によって特定される前記移動機の前記利用者が前記属性テーブルのどの属性に属するかを特定する属性特定ステップと、前記情報管理装置が、前記属性特定ステップによって特定された属性に基づいて、前記情報受信ステップにおいて受信された前記位置情報を特定された前記属性毎に分類し、前記位置情報に基づいて属性別位置管理テーブルを作成する属性別位置管理テーブル作成ステップと、前記情報管理装置が、前記属性別位置管理テーブル作成ステップによって作成された前記属性別位置管理テーブルに基づいて、前記移動機の所定の利用者情報を抽出する利用者情報抽出ステップと、前記情報管理装置が、前記利用者情報抽出ステップによる抽出結果を出力する出力ステップと、を備えている。
【０００８】
また、本発明の利用者情報管理システムは、移動機と、前記移動機との通信が可能とされた情報管理装置とを含んで構成される利用者情報管理システムであって、前記移動機は、当該移動機の位置情報を取得し、取得した前記位置情報と当該移動機を特定可能な移動機情報とを前記情報管理装置へ送信する情報通信部、を備え、前記情報管理装置は、前記移動機の利用者を特定可能な情報を含む利用者別属性情報を記憶する利用者別属性情報記憶部と、前記利用者別属性情報記憶部に記憶された前記利用者別属性情報を所定の属性毎に分類し、前記移動機の利用者を特定可能な情報を除く前記利用者別属性情報に基づいて属性テーブルを算出する属性テーブル算出部と、前記情報通信部から送信された前記位置情報および前記移動機情報を受信する情報受信部と、前記利用者別属性情報記憶部に記憶された前記利用者別属性情報と、前記属性テーブル算出部によって算出された前記属性テーブルとに基づいて、前記情報受信部によって受信された前記移動機情報によって特定される前記移動機の前記利用者が前記属性テーブルのどの属性に属するかを特定する属性特定部と、前記属性特定部によって特定された属性に基づいて、前記情報受信部によって受信された前記位置情報を特定された前記属性毎に分類し、前記位置情報に基づいて属性別位置管理テーブルを作成する属性別位置管理テーブル作成部と、前記属性別位置管理テーブル作成部によって作成された前記属性別位置管理テーブルに基づいて、前記移動機の所定の利用者情報を抽出する利用者情報抽出部と、前記利用者情報抽出部による抽出結果を出力する出力部と、を備えている。
【０００９】
また、本発明の利用者情報管理方法は、移動機と、前記移動機との通信が可能とされた情報管理装置とを含んで構成される利用者情報管理システム、にて実行される利用者情報管理方法であって、前記移動機が、当該移動機の位置情報を取得し、取得した前記位置情報と当該移動機を特定可能な移動機情報とを前記情報管理装置へ送信する情報通信ステップと、前記情報管理装置が、前記移動機の利用者を特定可能な情報を含む利用者別属性情報を利用者別属性情報記憶部に記憶させる記憶ステップと、前記情報管理装置が、前記利用者別属性情報記憶部に記憶された前記利用者別属性情報を所定の属性毎に分類し、前記移動機の利用者を特定可能な情報を除く前記利用者別属性情報に基づいて属性テーブルを算出する属性テーブル算出ステップと、前記情報管理装置が、前記情報通信ステップにおいて送信された前記位置情報および前記移動機情報を受信する情報受信ステップと、前記情報管理装置が、前記利用者別属性情報記憶部に記憶された前記利用者別属性情報と、前記属性テーブル算出ステップによって算出された前記属性テーブルとに基づいて、前記情報受信ステップにおいて受信された前記移動機情報によって特定される前記移動機の前記利用者が前記属性テーブルのどの属性に属するかを特定する属性特定ステップと、前記情報管理装置が、前記属性特定ステップによって特定された属性に基づいて、前記情報受信ステップにおいて受信された前記位置情報を特定された前記属性毎に分類し、前記位置情報に基づいて属性別位置管理テーブルを作成する属性別位置管理テーブル作成ステップと、前記情報管理装置が、前記属性別位置管理テーブル作成ステップによって作成された前記属性別位置管理テーブルに基づいて、前記移動機の所定の利用者情報を抽出する利用者情報抽出ステップと、前記情報管理装置が、前記利用者情報抽出ステップによる抽出結果を出力する出力ステップと、を備えている。
【００１０】
この発明によれば、属性テーブル算出部または属性テーブル算出ステップは、移動機の利用者を特定可能な情報を除いた利用者別属性情報に基づいて属性テーブルを算出する。属性別位置管理テーブル作成部または属性別位置管理テーブル作成ステップは、属性テーブルを用いて特定される利用者の属性に基づいて、移動機の位置情報を属性毎に分類し、属性別位置管理テーブルを作成する。このようにして算出された属性別位置管理テーブルには、利用者を特定可能な情報が含まれておらず、利用者を特定可能な情報を用いることなく移動機の位置情報（利用者情報）を属性毎に分類して管理することができる。また、属性別位置管理テーブルに基づいて、移動機の所定の利用者情報を抽出する構成であるため、利用者を特定可能な情報を用いることなく、各種の統計情報の抽出を行うことができる。
【００１１】
また、本発明における利用者情報管理システムにおいて、前記利用者情報抽出部は、前記属性別位置管理テーブルの前記位置情報に基づいて、前記移動機の利用者の属性別の人口分布を抽出することが好ましい。これにより、利用者を特定することなく、属性別の人口分布情報を得ることができる。
【００１２】
また、本発明における利用者情報管理システムにおいて、前記利用者情報抽出部は、前記属性別位置管理テーブルの前記位置情報に基づいて、前記移動機の利用者の属性別の人口流量を抽出することが好ましい。これにより、利用者を特定することなく、属性別の人口流量情報を得ることができる。
【発明の効果】
【００１３】
本発明によれば、移動機の位置情報を属性別に分類し、位置情報に基づいて属性別位置管理テーブルを作成することにより、利用者を特定可能な情報を用いることなく利用者情報の管理が可能となる。また、属性別位置管理テーブルを用いることにより、利用者を特定することなく各種の統計情報の抽出を行うことができる。
【図面の簡単な説明】
【００１４】
【図１】本実施形態の評価予測システムのシステム構成図である。
【図２】評価予測システムの機能ブロック構成図である。
【図３】利用者別属性テーブルの例を示す図である。
【図４】属性テーブル作成処理を示すフロー図である。
【図５】属性テーブルの例を示す図である。
【図６】属性別位置管理テーブルの例を示す図である。
【図７】属性別位置管理テーブル作成処理を示すフロー図である。
【図８】各テーブルから属性ＩＤを特定する様子を示す図である。
【図９】属性別位置管理テーブルの例を示す図である。
【図１０】属性別人口分布の算出処理を示すフロー図である。
【図１１】位置情報を抽出する様子を示す図である。
【図１２】人口分布マップの例を示す図である。
【図１３】属性別人口流量の算出処理を示すフロー図である。
【図１４】位置情報を抽出する様子を示す図である。
【図１５】人口流量マップの例を示す図である。
【図１６】属性別位置管理テーブルより位置情報を抽出する様子を示す図である。
【発明を実施するための形態】
【００１５】
添付図面を参照しながら本発明の実施形態を説明する。可能な場合には、同一の部分には同一の符号を付して、重複する説明を省略する。
［評価予測システムの構成］
図１は、本実施形態の利用者情報管理システム１０のシステム構成図である。図１に示すように、この利用者情報管理システム１０は、移動機１００、ＢＴＳ（基地局）２００、ＲＮＣ（無線ネットワーク制御装置）３００、交換機４００、および管理センタ５００を含んで構成されている。また、この管理センタ５００は、社会センサユニット５０１、ペタマイニングユニット５０２、モバイルデモグラフィユニット５０３、および可視化ソリューションユニット５０４から構成されている。
【００１６】
交換機４００は、ＢＴＳ２００、ＲＮＣ３００を介して、移動機１００の位置情報を収集する。ＲＮＣ３００は、移動機１００との間で通信接続が行われる際に、ＲＲＣコネクション要求信号における遅延値を用いて移動機１００の位置を測定することができる。交換機４００は、このように測定された移動機１００の位置情報を、移動機１００が通信接続を実行する際に受け取ることができる。交換機４００は受け取った位置情報を記憶しておき、所定のタイミング、または管理センタ５００からの要求に応じて収集した位置情報を管理センタ５００に出力する。ここで、一般的に、ＲＮＣ３００は、約千個からなるものであり、日本全国に配置されている。一方で、交換機４００は、３００個程度日本国内に配置されている。
【００１７】
管理センタ５００は、上述したとおり、社会センサユニット５０１、ペタマイニングユニット５０２、モバイルデモグラフィユニット５０３、および可視化ソリューションユニット５０４を含んで構成されており、各ユニットでは、移動機１００の位置情報等を用いた統計処理を行う。
【００１８】
社会センサユニット５０１は、各交換機４００から移動機１００の位置情報等を含んだデータを収集するサーバ装置である。この社会センサユニット５０１は、交換機４００から定期的に出力されたデータを受信したり、または社会センサユニット５０１において予め定められたタイミングに従って交換機４００からデータを取得したりできるように構成されている。
【００１９】
ペタマイニングユニット５０２は、社会センサユニット５０１から受信したデータを所定のデータ形式に変換するサーバ装置である。例えば、ペタマイニングユニット５０２は、ユーザＩＤをキーにソーティング処理を行ったり、エリア毎にソーティング処理を行ったりする。
【００２０】
モバイルデモグラフィユニット５０３は、ペタマイニングユニット５０２において処理されたデータに対する集計処理、すなわち各項目のカウンティング処理を行うサーバ装置である。例えば、モバイルデモグラフィユニット５０３は、あるエリアに在圏するユーザ数をカウントしたり、また在圏分布を集計したりすることができる。
【００２１】
可視化ソリューションユニット５０４は、モバイルデモグラフィユニット５０３において集計処理されたデータを可視可能に処理するサーバ装置である。例えば、可視化ソリューションユニット５０４は、集計されたデータを地図上にマッピング処理することができる。この可視化ソリューションユニット５０４にて処理されたデータは、企業、官公庁または個人等に提供され、店舗開発、道路交通調査、災害対策、環境対策などに利用される。なお、このように統計処理された情報は、当然にプライバシーを侵害しないように個人等は特定されないように加工されている。
【００２２】
なお、社会センサユニット５０１、ペタマイニングユニット５０２、モバイルデモグラフィユニット５０３および可視化ソリューションユニット５０４はいずれも、前述したようにサーバ装置により構成され、図示は省略するが、通常の情報処理装置の基本構成（即ち、ＣＰＵ、ＲＡＭ、ＲＯＭ、キーボードやマウス等の入力デバイス、外部との通信を行う通信デバイス、情報を記憶する記憶デバイス、および、ディスプレイやプリンタ等の出力デバイス）を備えることは言うまでもない。
【００２３】
［利用者情報管理システムの機能ブロック構成］
次に、本実施形態に係る利用者情報管理システムの機能ブロック構成について説明する。図２には利用者情報管理システム１０の機能ブロック構成を示す。この図２に示すように、利用者情報管理システム１０は、本発明に係る要素として、複数のＢＴＳ（基地局）２００それぞれが制御するセクタに在圏する複数の移動機１００と、ＲＮＣ３００と、情報管理装置６００と、を含んで構成される。情報管理装置６００は、前述した図１のペタマイニングユニット５０２、モバイルデモグラフィユニット５０３および可視化ソリューションユニット５０４に相当する。図１の交換機４００および社会センサユニット５０１は、本発明とは直接関係しない装置であるため、図２ではこれらの表記を省略している。
【００２４】
移動機１００は、自身を特定可能な移動機情報と、自身の位置を特定するための契機となる位置登録信号と、出力契機情報とを、ＲＮＣ３００あてに送信する送信部１０１を備える。この位置登録信号として、例えば、移動機１００が位置登録エリアを跨いで移動したときに送信される位置登録信号や、一定の周期（例えば５４分）毎に位置登録エリアへの位置登録を求める信号である位置登録信号などを用いることができる。また、出力契機とは、位置登録信号が出力された契機を示すものである。以下において、移動機１００が位置登録エリアを跨いだときに出力される位置登録信号の出力契機を「エリア跨り位置登録」と表し、一定の周期毎に出力される位置登録信号の出力契機を「周期的位置登録」と表す。
【００２５】
ＲＮＣ３００は、移動機１００から送信された移動機情報や位置登録信号等に基づいて、移動機１００の位置と、位置登録信号を受信した時刻情報と、出力契機情報とを特定し、これらの情報（位置情報、移動機情報、位置登録信号を受信した時刻情報、出力契機情報）を情報管理装置６００に送信する情報通信部３０１を備える。なお、これらの情報は、ＲＮＣ３００において特定する以外にも、ＲＮＣ３００と交換機４００とよって各情報の特定を行うなど、通信システムに応じて種々の方法によって特定されるものである。また、ＲＮＣ３００等によって移動機１００の位置情報を特定する以外にも、例えば、移動機１００がＧＰＳ機能などの位置情報を取得可能な機能を有する場合には、ＧＰＳ機能等によって取得した位置情報と当該移動機を特定するための移動機情報とを、移動機１００内に備えられたＧＰＳ機能等用の情報通信部によって情報管理装置６００あてに直接送信することもできる。
【００２６】
情報管理装置６００は、移動機１００の利用者を特定するための利用者ＩＤと、利用者ＩＤに関連付けされた利用者の属性情報（年齢、性別、住所）とが記憶された利用者別属性情報記憶部６１０と、利用者別属性情報記憶部６１０に記憶された情報に基づいて利用者の属性情報を属性毎に分類した属性テーブルを作成する属性テーブル算出部６１１と、を備える。ここで、利用者別属性情報記憶部６１０に記憶される移動機１００の利用者に関する情報は、例えば、移動機１００の利用開始契約時に、利用者が動機１００のサービス提供会社に登録した情報等を用いる。利用者別属性情報記憶部６１０は、図３に示すように、利用者ＩＤ毎に利用者別の属性情報（年齢、性別、住所）を管理する利用者別属性テーブルを記憶している。
【００２７】
また、情報管理装置６００は、ＲＮＣ３００の情報通信部３０１から送信された情報（移動機情報、時刻情報、位置情報、出力契機情報）を受信する情報受信部６０１と、情報受信部６０１によって受信された情報（移動機情報、時刻情報、位置情報、出力契機情報）に対応する移動機１００の利用者が、属性テーブルのどの属性に属するかを特定する属性特定部６０２と、情報受信部６０１によって受信された情報（移動機情報、時刻情報、位置情報、出力契機情報）のうち、移動機を特定可能な移動機情報を除いた情報（時刻情報、位置情報、出力契機情報）を用いて属性別位置管理テーブルを作成する属性別位置管理テーブル作成部６０３と、属性別位置管理テーブルに基づいて、所定属性の人口分布や所定属性の人口流量を抽出する利用者情報抽出部６０４と、利用者情報抽出部６０４による抽出結果を出力する出力部６０５と、を更に備える。ここでの「出力」は、表示出力および印刷出力を広く含むことは言うまでもない。即ち、評価結果または予測結果は、ディスプレイ等に表示出力されてもよいし、プリンタ等から印刷出力されてもよいし、表示と印刷の両方で出力されてもよい。
【００２８】
［利用者情報管理システムにて実行される処理］
次に、図４を用いて、属性テーブル算出部６１１で行われる属性テーブルを作成する手順の詳細について説明する。ここでは、属性テーブル算出部６１１が、利用者別属性情報記憶部６１０に記憶された利用者別属性情報を属性ＩＤ毎に集計して属性テーブルを作成するとともに、属性別位置管理テーブル作成部６０３が属性テーブルの属性ＩＤ毎に属性別位置管理テーブルを作成するものである。
【００２９】
まず、属性テーブル算出部６１１が、空白の属性テーブルを新規に作成する（ステップＳ１）。具体的には、図５に示すように、属性ＩＤ、年齢、性別、住所、人数の項目のみが入力されたテーブルを作成する。この属性テーブルは、後述のステップＳ７において、年齢（１０代、２０代、３０代、４０代・・・）、性別（男、女）、住所（町名単位の住所）毎に属性ＩＤが付与され、属性ＩＤ毎に人数をカウントできるようになっている。
【００３０】
次に、属性テーブル算出部６１１は、利用者別属性情報記憶部６１０に記憶された利用者別属性テーブル（図３）の所定の利用者ＩＤに関連付けられた属性情報を参照する（ステップＳ２）。なお、ステップＳ２において、本処理の開始直後は、図３の利用者別属性テーブルの一番上の行の利用者ＩＤに対応する利用者属性情報を参照する。後述のステップＳ６から再びステップＳ２へ進んだ場合には、前回のステップＳ２の処理において参照した利用者別属性テーブルの利用者ＩＤの次（１つ下段）の行の利用者ＩＤに対応する属性情報を参照する。
【００３１】
次に、属性テーブル算出部６１１は、属性テーブル内に、ステップＳ２で参照した属性情報に対応する属性ＩＤがあるかどうかを判断する（ステップＳ３）。例えば、ステップＳ２において、利用者ＩＤ＝５の属性情報（年齢：３１、性別：女、住所：横浜市）を参照した場合、図５に示すように、利用者ＩＤ＝５に対応する属性ＩＤ＝２が存在するため、ステップＳ３では、該当する属性ＩＤが存在するものとして判断する。
【００３２】
対応する属性ＩＤが存在する場合（ステップＳ３：ＹＥＳ）には、属性テーブル算出部６１１は、属性テーブルの該当する属性ＩＤの人数に１を加算する（ステップＳ４）。
【００３３】
一方、対応する属性ＩＤが存在しない場合（ステップＳ３：ＮＯ）には、属性テーブル算出部６１１は、属性テーブルに行を追加して属性ＩＤを付与し、追加した行に、ステップＳ２で参照した利用者の属性情報に対応する属性情報（年齢、性別、住所）を入力し、人数を１にセットする（ステップＳ７）。次に、属性別位置管理テーブル作成部６０３は、ステップＳ７で新たに付与された属性ＩＤに対応する属性別位置管理テーブルを新たに作成する（ステップＳ８）。この属性別位置管理テーブルは、具体的には、図６に示すように、各属性ＩＤ毎に時刻、位置情報、出力契機の項目のみが入力されたものである。
【００３４】
属性テーブルの人数を加算（ステップＳ４）、または属性別位置管理テーブルの作成（ステップＳ８）後、属性テーブル算出部６１１は、直前のステップＳ２において参照した利用者別属性テーブルの利用者ＩＤの次（１つ下段）の行の利用者ＩＤを参照する（ステップＳ５）。属性テーブル算出部６１１は、ステップＳ５で参照した次（１つ下段）の行に利用者ＩＤが存在するかどうかを判断（ステップＳ６）し、存在する場合（ステップＳ６：ＹＥＳ）にはステップＳ２へ進み、当該利用者ＩＤに対応する属性情報を参照し、以降、上述の処理を繰り返す。一方、利用者ＩＤが存在しない場合（ステップＳ６：ＮＯ）には、利用者別属性テーブル内のすべての利用者ＩＤについて、属性別に分類が行われ、属性テーブルへの入力が完了したものとして本処理を終了する。
【００３５】
このようにして、利用者を特定可能な利用者別ＩＤを含む利用者別の属性情報（利用者別属性テーブル）から、利用者を特定可能な利用者ＩＤを含まず、かつ、利用者の属性毎に分類された属性テーブルを作成することができる。
【００３６】
次に、図７を用いて、属性別位置管理テーブルを作成する手順の詳細について説明する。ここでは、ＲＮＣ３００より送信された移動機１００に関する情報（移動機情報、時刻情報、位置情報、出力契機情報）から、移動機を特定可能な移動機情報を除いた情報を、属性別位置管理テーブル作成部６０３によって作成された属性別位置管理テーブルに入力するものである。
【００３７】
まず、情報管理装置６００の情報受信部６０１は、ＲＮＣ３００の情報通信部３０１より送信された移動機１００に関する情報（移動機情報、時刻情報、位置情報、出力契機情報）を受信する（ステップＳ１１）。ここで、移動機を特定するための移動機情報として、利用者ＩＤが用いられ、移動機と利用者の属性情報とが関連付けられている。情報受信部６０１は、具体的には、図８（ａ）に示すように、移動機情報：利用者ＩＤ＝１、時刻情報：10:00、位置情報：（Ｘ１，Ｙ１）、出力契機情報：エリア跨り位置登録、の情報を受信する。
【００３８】
次に、属性特定部６０２は、利用者別属性情報記憶部６１０に記憶された利用者別属性テーブルおよび属性テーブル算出部６１１によって算出された属性テーブルを参照し、情報受信部６０１で受信された情報に対応する移動機１００の利用者が、属性テーブル内のどの属性ＩＤに属するかを特定する（ステップＳ１２）。具体的には、利用者別属性テーブルおよび属性テーブルが図８（ｂ）に示すものであり、情報受信部６０１が受信した移動機１００に関する情報が図８（ａ）に示すものである場合、情報受信部６０１が受信した移動機情報（利用者ＩＤ＝１）に対応する属性ＩＤは、属性ＩＤ＝１となる。
【００３９】
次に、属性別位置管理テーブル作成部６０３は、ステップＳ１２で特定された属性ＩＤに該当する属性別位置管理テーブルに、移動機や利用者を特定可能な移動機情報を除く情報（時刻情報、位置情報、出力契機情報）を、入力する。具体的には、情報受信部６０１によって受信された移動機１００に関する情報が図８（ａ）に示すものである場合、図９に示すように、属性ＩＤ＝１に該当する属性別位置管理テーブルに、時刻情報として10:00、位置情報として（Ｘ１，Ｙ１）、出力契機情報としてエリア跨り位置登録の情報が入力される。なお、ステップＳ１３で入力される属性別位置管理テーブルは、属性テーブルを作成する際に、予め、属性別位置管理テーブル作成部６０３が作成（図４：ステップＳ８の処理）したものである。
【００４０】
このようにして、属性別位置管理テーブルを作成することにより、移動機１００の位置情報が利用者の属性毎に分類され、管理可能となる。また、属性別位置管理テーブルは、移動機や利用者を特定可能な情報（利用者ＩＤ）が除かれたものであるため、属性別位置管理テーブルに入力された情報からは利用者を特定することができないテーブルとなっている。
【００４１】
次に、利用者情報抽出部６０４が、属性別位置管理テーブルに基づいて利用者情報を抽出する処理について説明する。ここで、利用者情報抽出部６０４は、属性別位置管理テーブルより、利用者の属性別の人口分布と、利用者の属性別の人口流量（人々の流れ）を抽出するものである。
【００４２】
まず、図１０を用いて、利用者情報抽出部６０４が利用者の属性別の人口分布を抽出する処理の詳細について説明する。ここでは、所望の属性の属性別位置管理テーブルより所望の時刻における移動機１００の位置情報を抽出し、抽出した位置情報に基づいて所望の属性の利用者の所望の時刻における人口分布を抽出するものである。また、利用者情報抽出部６０４は、利用者情報管理システム１０の利用者等より、図示しない入力装置等を通じて所定の属性の利用者の所望の時刻における人口分布を抽出する旨の指示を受けて、人口分布の抽出処理を開始するものである。
【００４３】
人口分布の抽出処理の開始の指示があると、利用者情報抽出部６０４は、属性テーブル算出部６１１によって算出された属性テーブルを参照し、人口分布の抽出指示に対応する所望の属性ＩＤと、その人数を抽出する（ステップＳ２１）。例えば、利用者情報抽出部６０４に対して「２０代、男、住所：横須賀市」に該当する利用者の人口分布を抽出する旨の指示があり、属性テーブル算出部６１１によって図１１（ａ）に示す属性テーブルが算出されている場合、利用者情報抽出部６０４は、「２０代、男、住所：横須賀」の属性条件に合致する属性ＩＤおよび人数として、属性ＩＤ＝１および人数：３人を抽出する。
【００４４】
次に、利用者情報抽出部６０４は、ステップＳ２１で抽出された属性ＩＤに対応する属性別位置管理テーブルを参照し、人口分布の抽出の際に指示された所望の時刻の位置情報を、ステップＳ２１で抽出された人数分抽出する（ステップＳ２２）。ここで、利用者情報抽出部６０４は、人口分布の抽出の際に指示された所望の時刻以降の時刻情報に対応する位置情報を、人数分抽出するものである。具体的には、ステップＳ２１で抽出された属性ＩＤが属性ＩＤ＝１、人数：３人であり、人口分布の抽出の際に指示された所望の時刻が10:00であり、属性ＩＤ＝１に対応する属性別位置管理テーブルが図１１（ｂ）に示すものである場合、利用者情報抽出部６０４は、属性別位置管理テーブルより、時刻が10:00以降の位置情報（Ｘ１，Ｙ１）、・・・を、３個抽出する。
【００４５】
次に、利用者情報抽出部６０４は、ステップＳ２２で抽出された位置情報を所望のエリア単位で集計し（ステップＳ２３）、例えば、図１２に示すような所望の属性の人口分布マップとして出力部６０５を介して出力する（ステップＳ２４）。図１２に示す人口分布マップでは、道路等が記されたマップを所定のエリア単位で分割し、利用者の人数に基づいてそれぞれのエリアの色などを変化させることによって、利用者の人口分布を表している。
【００４６】
このように、利用者情報抽出部６０４は、移動機１００の利用者を特定可能な情報（利用者ＩＤ）を含まない属性別位置管理テーブルを用いて、所望の属性の利用者の人口分布を抽出することができる。
【００４７】
次に、図１３を用いて、利用者情報抽出部６０４が利用者の属性別の人口流量を抽出する処理の詳細について説明する。ここでは、所望の属性の属性別位置管理テーブルより所望の時間帯における移動機１００の位置情報を抽出し、抽出した位置情報に基づいて所望の属性の利用者の所望の時間帯における人口流量を抽出するものである。また、利用者情報抽出部６０４は、利用者情報管理システム１０の利用者等より、図示しない入力装置等を通じて所定の属性の利用者の所望の時間帯における人口流量を抽出する旨の指示を受けて、人口流量の抽出処理を開始するものである。
【００４８】
人口流量の抽出処理の開始の指示があると、利用者情報抽出部６０４は、属性テーブル算出部６１１によって算出された属性テーブルを参照し、人口流量の抽出指示に対応する所望の属性ＩＤと、その人数を抽出する（ステップＳ３１）。例えば、利用者情報抽出部６０４に対して「２０代、男、住所：横須賀市」に該当する利用者の人口流量を抽出する旨の指示があり、属性テーブル算出部６１１によって図１４（ａ）に示す属性テーブルが算出されている場合、利用者情報抽出部６０４は、「２０代、男、住所：横須賀」の属性条件に合致する属性ＩＤおよび人数として、属性ＩＤ＝１および人数：３人を抽出する。
【００４９】
次に、利用者情報抽出部６０４は、ステップＳ３１で抽出された属性ＩＤに対応する属性別位置管理テーブルを参照し、人口流量の抽出の際に指示された所望の時間帯の位置情報を、ステップＳ３１で抽出された人数分抽出する（ステップＳ３２）。ここで、利用者情報抽出部６０４は、人口流量の抽出の際に指示された所望の時間帯の始点の時刻以降の時刻情報に対応する位置情報をステップＳ３１で抽出された人数分抽出し、さらに、所望の時間帯の終点の時刻以降の時刻情報に対応する位置情報をステップＳ３１で抽出された人数分抽出するものである。具体的には、ステップＳ３１で抽出された属性ＩＤが属性ＩＤ＝１、人数：３人であり、人口流量の抽出の際に指示された所望の時間帯が10:00〜11:00であり、属性ＩＤ＝１に対応する属性別位置管理テーブルが図１４（ｂ）に示すものである場合、利用者情報抽出部６０４は、属性別位置管理テーブルより、時刻が10:00以降の時刻情報に対応する位置情報（Ｘ１，Ｙ１）、・・・を３個抽出し、さらに、時刻が11:00以降の時刻情報に対応する位置情報（Ｘ２，Ｙ２）、・・・を３個抽出する。
【００５０】
次に、利用者情報抽出部６０４は、ステップＳ３２で抽出された所望の時間帯の位置情報を所望のエリア単位で集計し、各エリア間を移動する利用者の流量を抽出する（ステップＳ３３）。具体的には、利用者情報抽出部６０４は、所望の時間帯の始点の時刻から所定の人数分抽出した位置情報を所望のエリア単位で集計し、所望の時間帯の始点における人口分布を抽出する。次に、利用者情報抽出部６０４は、所望の時間帯の終点の時刻から所定の人数分抽出した位置情報を所望のエリア単位で集計し、所望の時間帯の終点における人口分布を抽出する。利用者情報抽出部６０４は、所望の時間帯の始点および終点の２つの人口分布の差分を算出することによって、所定の時間帯における人口流量を抽出するものである。
【００５１】
利用者情報抽出部６０４は、抽出した結果を、例えば、図１５に示すような所望の属性の人口流量マップとして出力部６０５へ出力する（ステップＳ３４）。図１５に示す人口流量マップでは、道路等が記されたマップを所定のエリア単位で分割し、各エリア間を跨ぐ矢印を用いて人口の移動を表している。また、人口の移動量に応じて矢印の色などを変化させることによって、利用者の人口流量を表している。
【００５２】
このように、利用者情報抽出部６０４は、移動機１００の利用者を特定可能な情報（利用者ＩＤ）を含まない属性別位置管理テーブルを用いて、所望の時間帯における所望の属性の利用者の人口流量を抽出することができる。なお、「エリア跨り位置登録」の出力契機情報と位置情報とを利用し、移動機１００の移動経路を抽出することにより、より正確に移動機１００の利用者の人口流量を抽出することもできる。
【００５３】
以上のように、本実施形態における利用者情報管理システム１０は、属性別位置管理テーブル作成部６０３によって作成された、移動機１００の利用者を特定可能な情報（利用者ＩＤ）が除かれた属性別位置管理テーブルによって、利用者の属性毎に移動機１００の位置情報を管理することができる。また、移動機１００の利用者を特定可能な情報が除かれた属性テーブルを用いて抽出したい利用者情報に対応する属性ＩＤを抽出し、抽出した属性ＩＤに対応する属性別位置管理テーブルを用いて、移動機１００の利用者の人口分布や人口流量などの利用者情報を抽出する。このように、利用者を特定可能な情報を用いることなく、利用者を特定可能な情報が除かれた属性テーブルおよび属性別位置管理テーブルを用いて、利用者情報の抽出を行うことができる。
【００５４】
［作用および効果について］
次に、本実施形態の利用者情報管理システム１０の作用および効果について説明する。
【００５５】
本実施形態における利用者情報管理システム１０およびその方法は、移動機１００の無線接続制御を行うＲＮＣ３００（無線ネットワーク制御装置）と、ＲＮＣ３００との情報の送受信が可能とされた情報管理装置６００とを含んで構成される。ＲＮＣ３００は、移動機１００の位置情報を特定するとともに当該移動機を特定可能な移動機情報を取得し、位置情報および移動機情報を情報管理装置６００へ送信する情報通信部３０１、を備える。情報管理装置６００は、移動機１００の利用者を特定可能な情報を含む利用者別属性情報を記憶する利用者別属性情報記憶部６１０と、利用者別属性情報記憶部６１０に記憶された利用者別属性情報を所定の属性毎に分類し、移動機１００の利用者を特定可能な情報を除く利用者別属性情報に基づいて属性テーブルを算出する属性テーブル算出部６１１と、情報通信部３０１から送信された位置情報および移動機情報を受信する情報受信部６０１と、利用者別属性情報記憶部６１０に記憶された利用者別属性情報と、属性テーブル算出部６１１によって算出された属性テーブルとに基づいて、情報受信部６０１によって受信された移動機情報によって特定される移動機の利用者が属性テーブルのどの属性に属するかを特定する属性特定部６０２と、属性特定部６０２によって特定された属性に基づいて、情報受信部６０１によって受信された位置情報を特定された属性毎に分類し、位置情報に基づいて属性別位置管理テーブルを作成する属性別位置管理テーブル作成部６０３と、属性別位置管理テーブル作成部６０３によって作成された属性別位置管理テーブルに基づいて、移動機１００の所定の利用者情報を抽出する利用者情報抽出部６０４と、利用者情報抽出部６０４による抽出結果を出力する出力部６０５と、を備える。
【００５６】
また、本実施形態における利用者情報管理システム１０およびその方法は、移動機１００と、移動機１００との通信が可能とされた情報管理装置６００とを含んで構成される。移動機１００は、当該移動機の位置情報を取得し、取得した位置情報と当該移動機を特定可能な移動機情報とを情報管理装置６００へ送信する情報通信部、を備える。情報管理装置６００は、移動機１００の利用者を特定可能な情報を含む利用者別属性情報を記憶する利用者別属性情報記憶部６１０と、利用者別属性情報記憶部６１０に記憶された利用者別属性情報を所定の属性毎に分類し、移動機１００の利用者を特定可能な情報を除く利用者別属性情報に基づいて属性テーブルを算出する属性テーブル算出部６１１と、情報通信部から送信された位置情報および移動機情報を受信する情報受信部６０１と、利用者別属性情報記憶部６１０に記憶された利用者別属性情報と、属性テーブル算出部６１１によって算出された属性テーブルとに基づいて、情報受信部６０１によって受信された移動機情報によって特定される移動機の利用者が属性テーブルのどの属性に属するかを特定する属性特定部６０２と、属性特定部６０２によって特定された属性に基づいて、情報受信部６０１によって受信された位置情報を特定された属性毎に分類し、位置情報に基づいて属性別位置管理テーブルを作成する属性別位置管理テーブル作成部６０３と、属性別位置管理テーブル作成部６０３によって作成された属性別位置管理テーブルに基づいて、移動機１００の所定の利用者情報を抽出する利用者情報抽出部６０４と、利用者情報抽出部６０４による抽出結果を出力する出力部６０５と、を備える。
【００５７】
このため、移動機１００の利用者を特定可能な情報を除いた利用者別属性情報に基づいて、属性テーブル算出部６１１が属性テーブルを算出する。属性別位置管理テーブル作成部６０３は、属性テーブルを用いて特定される利用者の属性に基づいて、移動機１００の位置情報を属性毎に分類し、属性別位置管理テーブルを作成する。このようにして算出された属性別位置管理テーブルには、移動機１００の利用者を特定可能な情報が含まれておらず、利用者を特定可能な情報を用いることなく移動機１００の位置情報（利用者情報）を属性毎に分類して管理することができる。また、属性別位置管理テーブルに基づいて移動機１００の所定の利用者情報を抽出することにより、利用者を特定可能な情報を用いることなく、各種の統計情報の抽出を行うことができる。
【００５８】
また、本実施形態における利用者情報抽出部６０４によれば、属性別位置管理テーブルの位置情報に基づいて、移動機の利用者の属性別の人口分布を抽出することにより、利用者を特定する情報を用いることなく、属性別の人口分布情報を抽出することができる。
【００５９】
また、本実施形態における利用者情報抽出部６０４によれば、属性別位置管理テーブルの位置情報に基づいて、移動機の利用者の属性別の人口流量を抽出することにより、利用者を特定する情報を用いることなく、属性別の人口流量情報を抽出することができる。
【００６０】
本発明は、上述した実施形態に限定されるものではない。
【００６１】
例えば、上記実施形態では、属性テーブルを用いて所定の属性に属する利用者の人数を管理し、この人数に基づいて属性別位置管理テーブルから所定の属性に属する利用者の位置情報を抽出するものとしたが、属性テーブルによって利用者の人数を管理することなく、属性別位置管理テーブルから位置情報を抽出すべき数（当該属性に属する利用者の数）を把握し、位置情報を抽出することもできる。ここで、移動機１００からＲＮＣ３００へ送信される位置登録信号として、移動機１００が位置登録エリアを跨いで移動したときに送信される位置登録信号と、５４分毎に位置登録エリアへの位置登録を求める信号である位置登録信号とを用いるものとする。また、移動機１００は、位置登録エリアを跨いで移動したときに位置登録信号を送信すると、５４分毎に送信する位置登録信号のタイマをリセットするものとする。
【００６２】
この場合には、例えば、図１６（ａ）に示す属性別位置管理テーブルのように、時刻10:00〜時刻10:54の間に６個の位置情報が入力されていた場合、時刻10:00と時刻10:10に位置登録エリアを跨いだことによって位置登録信号を送信し、位置が特定された移動機１００は、それぞれ横須賀と北海道とに位置しているため、互いに別の移動機１００（利用者が異なる）であることがわかる。また、それ以外の周期的位置登録によって位置登録信号を送信し、位置が特定された移動機１００も、５４分周期内にそれぞれ位置登録信号が送信されているため、互いに別の移動機１００であるといえる。したがって、時刻10:00〜時刻10:54の間に位置情報が特定された移動機１００は、重複（例えば、時刻10:00〜時刻10:54の間に同じ移動機１００が複数回、位置登録信号を送信した場合など）しておらず、属性ＩＤ＝１に属する移動機１００の利用者は６人であると判断することができ、属性別位置管理テーブルから６個の位置情報を抽出する。
【００６３】
また、例えば、図１６（ｂ）に示す属性別位置管理テーブルのように、時刻10:00〜時刻10:54の間に６個の位置情報が入力されていた場合、時刻10:00と時刻10:10に位置登録エリアを跨いだことによって位置登録信号を送信し、位置が特定された移動機１００は、それぞれ同じ横須賀に位置しているため、同一の移動機１００より送信された位置登録信号である可能性が高く、同一の移動機１００であると判断できる。このように、位置登録エリアを跨いだことによって送信された位置登録信号が、同一の移動機１００（同一人物）であると考えられるエリア構成（隣接したエリア）であれば、同一人物とみなし、そうでないエリア構成であれば別の人物であると判断することができる。また、それ以外の周期的位置登録によって位置登録信号を送信し、位置が特定された移動機１００も、５４分周期内にそれぞれ位置登録信号が送信されているため、互いに別の移動機１００であるといえる。したがって、時刻10:00〜時刻10:54の間に位置情報が特定された移動機１００は、エリア跨りによって同一の移動機１００から送信された位置登録信号によって位置情報が特定されたと判断できる時刻10:00の位置情報を除外することによって、属性ＩＤ＝１に属する移動機１００の利用者は５人であると判断することができ、属性別位置管理テーブルから５個の位置情報を抽出する。なお、人の移動が非常に少ない深夜帯（エリア跨り位置登録を契機とした位置登録信号の送信がほとんどなく、周期的位置登録を契機とした位置登録信号の送信が大部分を占める場合）の情報を利用して、人数を把握してもよい。
【００６４】
このようにして、属性テーブルによって利用者の人数を把握することなく、属性別位置管理テーブルを参照することによって所定の属性に属する利用者の人数を把握することができ、把握した人数に対応する数の位置情報を抽出することが可能となる。
【００６５】
また、上記実施形態では、利用者情報抽出部６０４によって抽出する利用者情報として、属性別の人口分布や、属性別の人口流量を抽出するものとしたが、これ以外の利用者情報を抽出してもよい。
【符号の説明】
【００６６】
１０…利用者情報管理システム、１００…移動機、３００…ＲＮＣ、３０１…情報通信部、６００…情報管理装置、６０１…情報受信部、６０２…属性特定部、６０３…属性別位置管理テーブル作成部、６０４…利用者情報抽出部、６０５…出力部、６１０…利用者別属性情報記憶部、６１１…属性テーブル算出部。
【図１】
2011054112.tif 000003
【図２】
2011054112.tif 000004
【図３】
2011054112.tif 000005
【図４】
2011054112.tif 000006
【図５】
2011054112.tif 000007
【図６】
2011054112.tif 000008
【図７】
2011054112.tif 000009
【図８】
2011054112.tif 000010
【図９】
2011054112.tif 000011
【図１０】
2011054112.tif 000012
【図１１】
2011054112.tif 000013
【図１２】
2011054112.tif 000014
【図１３】
2011054112.tif 000015
【図１４】
2011054112.tif 000016
【図１５】
2011054112.tif 000017
【図１６】
2011054112.tif 000018